(57)【特許請求の範囲】
【請求項１】
粗コンクリートが型枠に充填され、振動、圧縮ないしは振動と圧縮によって型枠内で密にされ、その際に型枠内に生じた空間の中に、粗コンクリート上に貯蔵タンクから有色モルタルが入れられ、密にされるような製造方法であって、粗コンクリートで形成された本体と、この本体の表面を固く覆う有色モルタルから成る付着層とを備えたコンクリートブロックの製造方法において、
付加層を形成するモルタルが、種々の有色モルタル材料によって形成され、これらのモルタル材料が層状に重ね合わされて貯蔵タンク内の上部に支持され、これらのモルタル材料の部分量が、一緒に同時に、重力によって貯蔵タンク内を自由に落下し、これらの部分量の運動経路に突出し貯蔵タンクの壁に対する距離を変更できるデフレクタに対して衝突し、このデフレクタによって、少なくとも１つの円弧状案内路に沿って導かれ、互いに混ぜ合わされ、多色モルタルとして、粗コンクリート上に大理石模様の付加層を形成し、その後、当該大理石模様の付加層が圧縮される、ことを特徴とするコンクリートブロックの製造方法。
【請求項２】
種々の有色モルタル材料が、貯蔵タンク内において横に移動できるスライド弁上に層状に重ね合わされて支持され、モルタル材料が、スライド弁の長手方向運動によって、スライド弁と貯蔵タンク壁との間に形成された通しスリットを通って重力によって自由に落下し、その際にデフレクタおよび又は円弧状案内路によって互いに混ぜ合わされ、多色モルタルとして、貯蔵タンクの下端にある閉鎖装置を通って少しづつ型枠に入れられる、ことを特徴とする請求の範囲第１項記載の方法。
【請求項３】
請求の範囲第１項又は第２項記載のコンクリートブロックを製造するための装置において、
垂直の漏斗状貯蔵タンク（５）を備え、この貯蔵タンク（５）がその中で横に移動できる第１のスライド弁（７）を有し、このスライド弁（７）が、互いに層状に上下して支持されている種々の有色モルタル材料（８、９、１０、１１）に対する支持要素として機能し、
スライド弁（７）と貯蔵タンク（５）の壁との間に、当該スライド弁（７）の移動によって通しスリット（７″）が形成され、この通しスリット（７″）を通して、モルタル材料（８、９、１０、１１）の部分量が重力によって自然に落下するように構成され、
スライド弁（７）の下側にそれと間隔を隔てて、横に移動できる第２のスライド弁（１２）が、モルタル材料（８、９、１０、１１）の部分量に対するデフレクタおよび案内体として貯蔵タンク（５）内に設けられ、この第２のスライド弁（１２）が、貯蔵タンク（５）の壁と共に、モルタル材料（８、９、１０、１１）の部分量に対する通しスリット（１７）を形成し、
モルタル材料（８、９、１０、１１）の部分量が、両通しスリット（７″、１７）内を円弧状案内路に沿って導かれ、混ぜ合わされるように構成され、
貯蔵タンク（５）から有色モルタルを制御して少量づつ排出するために、第２のスライド弁（１２）の下側にそれと間隔を隔てて、閉鎖装置（１５）が移動可能および又は揺動可能に配置されている、ことを特徴とするコンクリートブロックを製造するための装置。
【請求項４】
貯蔵タンク（５）内において第１のスライド弁（７）および第２のスライド弁（１２）が、互いに逆向きに長手方向に移動可能に構成され、互いにずらされた通しスリット（７″、１７）を備えた、モルタル材料（８、９、１０、１１）の部分量に対する円弧状案内路を形成する、ことを特徴とする請求の範囲第３項記載の装置。
【請求項５】
閉鎖装置（１５）および貯蔵タンク（５）の壁が、下方に、通しスリット（１７）に対してずらされた出口開口（２０）を形成している、ことを特徴とする請求の範囲第３項記載の装置。
【請求項６】
貯蔵タンク（５）内において第１のスライド弁（７）および第２のスライド弁（１２）が、互いに逆向きに長手方向に移動可能に構成され、互いにずらされた通しスリット（７″、１７）を備え、これによって、第１のスライド弁（７）と第２のスライド弁（１２）との間に、有色モルタル材料（８、９、１０、１１）の部分量を一の回転方向に沿って下方へ導く円弧状案内路が形成され、
閉鎖装置（１５）および貯蔵タンク（５）の壁が、下方に、通しスリット（１７）に対してずらされた出口開口（２０）を形成し、これによって、第２のスライド弁（１２）と閉鎖装置（１５）との間に、有色モルタル材料の部分量を前記一の回転方向とは逆の回転方向に沿って下方へ導く円弧状案内路が形成されることを特徴とする請求の範囲第３項記載の装置。
【請求項７】
第２のスライド弁（１２）が、貯蔵タンク（５）内に移動可能に配置された断面三角形の角柱状体（１８）によって形成されていることを特徴とする請求の範囲第３項記載の装置。
【請求項８】
角柱状体が、断面二等辺三角形あるいは正三角形をしていることを特徴とする請求の範囲第７項記載の装置。
【請求項９】
第１のスライド弁（７）、第２のスライド弁（１２）および閉鎖装置（１５）が、貯蔵タンク内に移動可能および又は揺動可能に配置された平らなあるいは湾曲した形状体によって構成されている、ことを特徴とする請求の範囲第６項又は第７項記載の装置。
【発明の詳細な説明】
【０００１】
本発明は、粗コンクリートが型枠に充填され、振動、圧縮ないしは振動と圧縮によって型枠内で密にされ、その際に型枠内に生じた空間の中で、粗コンクリート上に貯蔵タンクから有色モルタルが入れられ、密にされるような製造方法であって、粗コンクリートで形成された本体と、この本体の表面を固く覆う有色モルタルから成る付着層とを備えたコンクリートブロック、特に敷石ブロック、外壁ブロックなどの製造方法に関する。
【０００２】
着色されたモルタルを、コンクリートブロックの付加層として、貯蔵タンクから重力によって取り出すことは知られている。多色の付加層、例えば大理石模様の付加層の場合、複数のモルタル材料が別々にそれぞれ着色後にベルトコンベヤによって貯蔵タンクの中に入れられ、混ぜ合わされて、あるいは混ぜ合わされずに、型枠内に導かれる。更に、貯蔵タンクに付属された複数の補助タンクによって、種々の色のモルタル材料を貯蔵タンクに導入し、この貯蔵タンクから型枠に入れることも知られている。
【０００３】
これらの公知の方法および装置の場合いずれも、高い機械設備費および製造費がかかるという欠点がある。更にまた、モルタル材料が堆積を形成するために良好に混合されないことで、得られた付加層が様々な不定の着色模様をしているという欠点がある。
【０００４】
本発明の課題は、規定した同種の外見模様をした付加層を得るために、安価な費用で、大理石模様の付加層を製造することができるような方法を提供することにある。
【０００５】
この課題は本発明に基づいて、冒頭に述べた形式の方法において、付加層を形成するモルタルが、種々の色の複数のモルタル材料によって形成され、これらのモルタル材料が層状に重ね合わされて貯蔵タンク内の上部に支持され、これらのモルタル材料の部分量が、一緒に同時に、重力によって貯蔵タンク内を自由に落下し、これらの部分量の運動経路に突出し貯蔵タンクの壁に対する距離を変更できるデフレクタに対して衝突し、このデフレクタによって、少なくとも１つの円弧状案内路に沿って導かれ、互いに混ぜ合わされ、多色モルタルとして、粗コンクリート上に大理石模様の付加層を形成し、その後、当該大理石模様の付加層が圧縮されることによって、解決される。
【０００６】
デフレクタは貯蔵タンク内に自動的に円弧状案内路を形成することを可能にし、特にその際に生ずる部分量の横の移動によって、部分量を規定通りに混合することを可能にする。
【０００７】
本発明の有利な実施態様において、種々の色の複数のモルタル材料が、貯蔵タンク内において横に移動できるスライド弁上に層状に重ね合わされて置かれ、スライド弁の長手方向運動によって、スライド弁と貯蔵タンク壁との間に形成された通しスリットを通って重力によって自由に落下し、その際にデフレクタおよび円弧状案内路によって互いに混ぜ合わされ、多色モルタルとして、貯蔵タンクの下端にある閉鎖装置を通って少しづつ型枠に入れられる。
【０００８】
本発明の方法を実施するために、垂直の漏斗状貯蔵タンクを備え、この貯蔵タンクがその中で横に移動できる第１のスライド弁を有し、このスライド弁が、互いに層状に上下して置かれている種々の色のモルタル材料に対する支持要素として機能し、このスライド弁と貯蔵タンクの壁との間に、当該スライド弁の移動によって通しスリットが形成され、この通しスリットを通して、モルタル材料の部分量が重力によって自然に落下するように構成され、スライド弁の下側にそれと間隔を隔てて、横に移動できる第２のスライド弁が、モルタル材料の部分量に対するデフレクタおよび案内体として貯蔵タンク内に設けられ、このスライド弁が、貯蔵タンクの壁と共に、モルタル材料の部分量に対する通しスリットを形成し、モルタル材料の部分量が、両通しスリットの中を円弧状案内路に沿って導かれ、混ぜ合わされるように構成され、貯蔵タンクから有色モルタルを制御して少量づつ排出するために、第２のスライド弁の下側にそれと間隔を隔てて、閉鎖装置が移動可能および又は揺動可能に配置されていることを特徴とする装置を提案する。
【０００９】
円弧状案内路を形成するため、および、ずらされた通し開口を得るために、モルタル材料を円弧状案内路に強制的に案内する働きをする貯蔵タンク内の両スライド弁は、互いに逆向きに長手方向に移動可能に構成されている。通し開口の開口幅を変更することによって、円弧状案内路を変化でき、混合率を変化できる。更に、閉鎖装置によって形成される出口開口はデフレクタに対してずらされる。これによって、モルタル材料を貯蔵タンク内を逆回転方向に通過させる円弧状案内路が形成される。スライド弁および閉鎖装置における通し開口および出口開口は、例えば両スライド弁間に、有色モルタル材料の部分量に対する時計方向に延びる円弧状案内路が形成され、デフレクタとして使用するスライド弁と閉鎖装置との間に、有色モルタル材料の部分量に対する反時計方向に延びる円弧状案内路が形成されるように、ずらされる。
【００１０】
これは、有色モルタル材料も円弧状案内路に沿って逆回転方向に案内されることを意味する。
【００１１】
本発明に基づく装置の有利な実施態様において、デフレクタとして使用するスライド弁は、平らなあるいは湾曲した形状体によって形成され、貯蔵タンク内に固定してあるいは揺動可能に配置されている。また、デフレクタを別の方式で形成すること、例えば貯蔵タンク内に固定してあるいは変位可能に配置された角柱状体によって形成することもできる。その角柱状体は好適には断面三角形、例えば断面二等辺三角形あるいは正三角形をなしている。
【００１２】
更にまた、支持要素およびデフレクタとして使用するスライド弁および有色モルタル材料の部分量に対する閉鎖装置が、任意の様式で移動可能および又は揺動可能な平らなあるいは湾曲した形状体によって構成されていることを提案する。
【００１３】
図１には粗コンクリート６′（図２）を収容するために使用する貯蔵タンク１が示されている。その粗コンクリート６′は閉鎖装置２を通してその下にある型枠３の中に入れられる。図において４は振動作業あるいは圧縮作業をする場所であり、５はモルタルを収容する貯蔵タンクである。そのモルタルは、粗コンクリート６′の表面に、有色付加層６、特に大理石模様の付加層６を形成するために使われる。
【００１４】
貯蔵タンク５は漏斗状に形成され、その上端近くに（第１の）スライド弁７が設けられている。このスライド弁７の上に、種々の有色のモルタル材料８、９、１０、１１（図２）が互いに上下に層を成して支持されている。これらのモルタル材料８、９、１０、１１は、一緒に付加層を形成するために利用される。スライド弁７は、図２に示されている閉鎖位置から、シリンダ８′内を案内されるピストン９′によって矢印７′の方向に、図３に示されている作業位置に移動できる。
【００１５】
更に貯蔵タンク５は、スライド弁７の下にそれと間隔を隔てて、デフレクタとして作用するもう１つの（第２の）スライド弁１２を有している。このスライド弁１２も同様に、シリンダ１３（図２）内を案内されるピストン１４によって移動できる。貯蔵タンク５の下端に、閉鎖装置１５が付属されている。この閉鎖装置１５は、ロッド１６（図２）によって、貯蔵タンク５に揺動可能に保持されている。
【００１６】
まず粗コンクリート６′がその貯蔵タンク１から型枠３内に入れられ、作業場所４（図１）で、振動あるいは圧縮によって密にされる。その際に圧縮された粗コンクリート６′の上に生じた型枠３内の空間は、有色のモルタル材料を収容するために使われる。スライド弁７の上に置かれたモルタル材料８、９、１０、１１は、図３から理解できるように、スライド弁７が矢印７′の方向に移動されて、通し開口７″が形成されることによって、それらの部分量が同時に重力によって一緒に、貯蔵タンク５の下端に向かって落下する。
【００１７】
これらのモルタル材料の部分量は、落下中に、その流れに対する邪魔板として作業位置に置かれた第２のスライド弁１２によって、円弧状案内路に沿って導かれ、スライド弁１２と円弧状案内路との相互作用によって、互いに混ぜ合わされる。そしてこれらのモルタル材料は更に、通しスリット１７を通ってもう１つの円弧状案内路に沿って導かれ、一層混ぜ合わされて、閉鎖装置１５の方向に移動する。
【００１８】
閉鎖装置１５が開かれることによって、これらの有色モルタル材料８、９、１０、１１の部分量は、混ざり合って、大理石模様の付加層６として、出口開口２０を通って型枠３内に到達する。続いて型枠３が圧縮作業場所４（図１）に置かれることによって、付加層の圧縮が行われる。モルタル材料８、９、１０、１１の混合は機械作業なしに達成される。
【００１９】
図４に示した実施例において、スライド弁７は、有色モルタル材料８、９、１０、１１を層状に支持するために使われる。スライド弁７の下にそれと間隔を隔てて、貯蔵タンク５にデフレクタ１２が揺動可能に支持されている。このデフレクタ１２は、モルタル材料８、９、１０、１１の部分量の流れに対する邪魔板として、それらの運動経路の中に突出し、その部分量に対して、円弧状案内路を形成し、混ぜ合わせる働きをする。貯蔵タンク５の下端は、閉鎖装置として使用するスライド弁１５によって開閉できる。
【００２０】
図５に示した実施例において、貯蔵タンク５内に有色モルタル材料８、９、１０、１１を支持するために、スライド弁７が設けられ、また貯蔵タンク５の下端に、閉鎖装置１５が図３に相当して揺動可能に設けられている。ここではデフレクタとして角柱状体１８が選択されて利用されている。この角柱状体１８はこの実施例においては断面二等辺三角形に形成されている。角柱状体１８は貯蔵タンク５内に軸１９を中心として回動可能に支持され、種々の大きさの幅をした通しスリットを形成することを可能にしている。角柱状体１８は円弧状案内路を生ずることを可能にし、モルタル材料８、９、１０、１１の部分量の流れに対する邪魔板として作用する。
【００２１】
スライド弁７上が完全に空にされた際、スライド弁１２を外向きに移動して全開することによって、このスライド弁１２上に残存するモルタル材料は、重力によって、円弧状案内路に沿って、閉鎖装置１５の方向に型枠に向けて移動する。
【００２２】
本発明に基づく方法およびその装置によって、コンクリート材料から成る任意のブロックに、例えば敷石ブロック、外壁ブロックのほかに、プレート、隙間ブロック、化粧板ブロックなどに、コンクリート材料製の有色の、特に大理石模様の付加層を着けることができる。更にまた、本発明に基づく方法および装置を、任意の様式および形状の有色コンクリート材料で完成されるブロックに利用することもできる。
【図面の簡単な説明】
【図１】  本発明に基づく装置の側面図。
【図２】  本発明に基づく装置の拡大概略断面図。
【図３】  本発明に基づく装置の作業位置における拡大概略断面図。
【図４】  本発明に基づく装置の異なった実施例の概略断面図。
【図５】  本発明に基づく装置の更に異なった実施例の概略断面図。
【図１】
0004421110.tif 000002
【図２】
0004421110.tif 000003
【図３】
0004421110.tif 000004
【図４】
0004421110.tif 000005
【図５】
0004421110.tif 000006